(57)【特許請求の範囲】
【請求項１】
複数の通信形態を有するマルチタイプの通信端末の通信形態自動選択装置において、
接続部（３）に接続される個々の通信形態に対応した接続機器（３１）を検出部（４）により検出し、
主装置（１）が接続を確認した通信形態の過去の利用頻度から優先順位を決定し、
優先順位の最も高い通信形態からこれを選択するか否か入力手段により確認し、入力手段による承認が得られた場合はパス形成部（２）によりパスを形成し、
承認が得られない場合は次の優先順位の通信形態について確認し、
入力手段による承認が得られるまで順次優先順位の高い通信形態から確認して行くことを特徴とした通信形態自動選択装置。
【発明の詳細な説明】
【０００１】
【産業上の利用分野】
本発明は有線や無線による通信に使用される通信端末装置に関し、特に、複数の通信形態に対応した通信端末装置に関するものである。
【０００２】
【従来の技術】
従来、この種の通信端末装置はその通信形態に応じた機能を有する、いわゆる単機能の通信端末機がそれぞれの用途に応じて使われていたが、昨今では複数の通信形態に対応し、一台で利用できるいわゆるマルチタイプの端末装置が開発されている。
【０００３】
【発明が解決しようとする課題】
しかし、このようなマルチタイプの端末装置は、複数の通信形態を一台の通信端末装置により利用できるものであるため、利用者は通信毎にどの形態を選択して通信を行うかをスイッチ等により切り換えて使用しなければならず操作が煩雑であった。
また、スイッチ等による切り換えミスによる誤操作を防止する必要があった。
【０００４】
本発明はこのような点に鑑みなされたもので、その目的とするところは、利用者によるスイッチ等による切り換えの煩雑さを解消し、誤操作を防止可能な通信形態自動選択装置を提供することにある。
【０００５】
【課題を解決するための手段】
本発明は上記課題を解決するために、複数の通信形態を有するマルチタイプの通信端末の通信形態自動選択装置において、接続部３に接続されている種々の通信形態に対応する接続機器３１を検出部４により検出し、主装置１が接続を確認した通信形態の過去の利用頻度に基づいて優先順位を決定し、まず優先順位が最も高い通信形態についてこれを選択するか否か入力手段により確認し、入力手段による承認が得られた場合にはパス形成部２によりパスを形成し、承認が得られない場合には次の優先順位の通信形態について確認し、入力手段による承認が得られるまで順次優先順位の高い通信形態から確認して行く構成とした。
【０００６】
【作用】
複数の通信形態にアクセスできるということはその分だけ操作が複雑なものになってしまう。
そこで、これを内部で自動的に行わせることにより、利便性を向上させ、かつ誤操作の防止にもなる。
【０００７】
しかして、接続部３に接続されるモジュラーやジャック等の接続機器３１の有無を検出部４により検出することにより、どの通信形態が利用可能であるかを判断することができる。
利用可能であることが確認された通信形態はその中でも過去に利用頻度の最も高いものが、再度利用される可能性が高いものであるから、これを最も優先順位の高いものとし、順次利用頻度により優先順位を決定して行く。そして、この優先順位の高いものから順番に利用者の確認をとることにより、パス形成部２により送・受信信号の通話路を切り換えて、すなわちパスを形成することにより、通信形態を自動的に選択することができる。
【０００８】
【実施例】
次に本発明の一実施例を図面に基づいて説明する。
図１は本発明の基本構成を示すブロック図、図２は本発明の動作を説明するためのフローチャート、図３はカプラによる通信形態を使用した場合の実施状態の一例を示したものである。
【０００９】
図１において、１は複数の通信形態に対応できるいわゆるマルチタイプの通信端末装置としての基本的な機能を有する主装置であって、図示しないキーやスイッチ等による入力手段やＬＣＤ，ＬＥＤ，プラズマディスプレイ等を使用した表示、音声による入出力、種々の通信形態に対応した送受信機能等を備えている。２は接続部３に接続される各通信形態と主装置１との間の送受信信号の通話路、すなわちパスを形成するためのパス形成部であり、送信信号切り換えスイッチ２２と受信信号切り換えスイッチ２１により構成されている。この送信信号切り換えスイッチ２２，受信信号切り換えスイッチ２１には通常半導体スイッチが使われるが、リレー等の有接点スイッチを使用することも可能である。また、パスの切り換えは主装置１からのコントロール信号によって行われる。３は各通信形態に対応したモジュラーやジャック等の接続機器３１が接続される接続部であって、通信形態としては、通常の電話による通信に使用される一般回線による通信，携帯電話等に使用される無線電話回線、音響的に他の電話機等と接続するためのカプラ等である。４は接続部３に接続されている各通信形態に対応したモジュラーやジャック等の接続機器３１の有無を検出する検出部で、検出手段としては、接続機器３１と機械的に連動する様に取り付けられたマイクロスイッチや光センサ等、通信回線の静電容量、インピーダンス変化を検出すること等により行われる。そして、検出された情報はこの検出部４の例えばＩ／Ｏ用のＩＣにより一定の信号に変換されて主装置１に送出され、主装置１はこれにより利用可能な通信形態を確認する。
【００１０】
図３は本発明に使用される通信形態の一つであるカプラ１０ａの使用状態の一例を示したものである。
カプラ１０ａとは、音響的に通信端末装置１０と電話機１１のハンドセット１１ａを結合させるもので例えば、通信端末装置１０を持って外出した場合に、公衆電話を利用して通信することが可能であり、手軽にどこでも通信端末装置を使用することができる。
【００１１】
次に、図２に沿って本発明の動作について説明する。
まず、本発明に係わる装置本体の電源スイッチ、若しくはメインスイッチがＯＮになると内部のプログラムが起動する〔Ｓ１〕。次に検出部４により接続部３に接続されているモジュラーやジャック等の接続機器３１の有無が検出される〔Ｓ２〕。そして、接続が確認された通信形態の中から記憶されている各通信形態毎の使用回数、すなわち使用頻度により優先順位を設けて、選択する通信形態の項目順序を決定する〔Ｓ３〕。決定した項目順序に従って主装置１の表示装置に選択する通信形態の名称を表示等し、利用者に確認する。このとき利用者は入力手段、例えば主装置上にあるＹＥＳ，ＮＯ等のスイッチにより、表示された通信形態を承認するか否か選択する〔Ｓ４〕。そして承認しない場合はＮＯ等と入力すると選択項目は１つずれ〔Ｓ８〕、再び利用者に入力手段による確認を行う〔Ｓ４〕。表示された選択項目を利用者が承認する場合は入力手段によりＹＥＳ等と入力すると表示された通信形態に対応したコントロール信号が主装置１からパス形成部２へ送出され、パス形成部内の受信信号切り換えスイッチ２１及び送信信号切り換えスイッチ２２は対応する通信形態へと回路を切り換えてパスが形成される〔Ｓ５〕。最後に形成されたパスに対応する通信形態の利用回数に１を加えて記憶し〔Ｓ６〕終了する〔Ｓ７〕。
このようにして通信の度に自動的に通信形態が選択され、利用者はそれを確認するだけで良く、煩雑なスイッチ操作が不要で操作ミスも防止できる。
【００１２】
【発明の効果】
以上のように本発明によれば、通信形態の選択を通信端末装置の内部で自動的に行わせることとしたため、利用者によるスイッチ切り換えの煩雑さを解消し、誤操作の防止にもなるという効果を有する。
【図面の簡単な説明】
【図１】本発明の一実施例の基本構成図である。
【図２】図１における本発明の動作を示したフローチャート。
【図３】カプラの使用状態の一例を示したもの。
【符号の説明】
１    主装置
２    パス形成部
２１  受信信号切り換えスイッチ
２２  送信信号切り換えスイッチ
３    接続部
３１  接続機器
４    検出部
１０    通信端末装置
１０ａ  カプラ
１１    電話機
１１ａ  ハンドセット
【図１】
0003602569.tif 000002
【図２】
0003602569.tif 000003
【図３】
0003602569.tif 000004